(57)【特許請求の範囲】
【請求項１】
所定の模様が印刷された印刷物（１）に照明光を照射する光源（１０５）と、
前記光源（１０５）から前記印刷物（１）への光路上に配置され、該光源（１０５）からの照明光を直線偏光にする照明用偏光板（２２５）と、
前記印刷物（１）の像光の光路上に配置され、前記照明用偏光板（２２５）とその偏光の向きが直交し、該印刷物（１）の像光から、該印刷物（１）の表面反射光を除去する撮像用偏光板（２２４）と、
前記撮像用偏光板（２２４）で前記表面反射光が除去された前記印刷物（１）の像光を撮像して、該印刷物（１）の無反射像を生成する撮像部（２２）と、
前記無反射像から各画素の色度を表す色度チャンネルを抽出し、該色度チャンネルにおいて前記所定の模様に対応する部分が、第１条件を満たしていない場合、前記印刷物（１）を複製物と判別する制御部（２４）と、
を備える複製検知装置（２）。
【請求項２】
前記所定の模様は、グラデーションであって、
前記制御部（２４）は、前記色度チャンネルにおいて前記グラデーションに対応する部分が、所定の形状を有していない場合、前記第１条件を満たしていないとして、前記印刷物（１）を複製物と判別する、
請求項１に記載の複製検知装置（２）。
【請求項３】
前記所定の模様は、グラデーションであって、
前記制御部（２４）は、前記色度チャンネルにおいて前記グラデーションに対応する部分が、所定の長さよりも短い場合、前記所定の形状を有していないとして、前記印刷物（１）を複製物と判別する、
請求項２に記載の複製検知装置（２）。
【請求項４】
前記グラデーションは、黄色のグラデーションである、
請求項２又は３に記載の複製検知装置（２）。
【請求項５】
前記撮像部（２２）は、ＲＧＢ色域で表される前記無反射像を生成し、
前記制御部（２４）は、前記ＲＧＢ色域で表される無反射像を、Ｌａｂ表色系で表される前記無反射像に変換し、
前記Ｌａｂ表色系で表される無反射像から各画素のｂ値を表すｂチャンネルを抽出し、
前記ｂチャンネルにおいて前記黄色のグラデーションに対応する部分が、前記所定の形状を有していない場合、前記第１条件を満たしていないとして、前記印刷物（１）を複製物と判別する、
請求項４に記載の複製検知装置（２）。
【請求項６】
前記制御部（２４）は、前記ｂチャンネルの各画素のｂ値を二値化して二値化画像を生成し、
前記二値化画像において前記黄色のグラデーションに対応する部分が、前記所定の形状を有していない場合、前記第１条件を満たしていないとして、前記印刷物（１）を複製物と判別する、
請求項５に記載の複製検知装置（２）。
【請求項７】
前記印刷物（１）の照度を検知する照度センサ（２５）をさらに備え、
前記制御部（２４）は、前記照度センサ（２５）で検知した前記照度に応じて、前記ｂチャンネルの各画素のｂ値と比較する閾値を決定し、
前記ｂチャンネルの各画素のｂ値を前記閾値と比較して二値化する、
請求項６に記載の複製検知装置（２０）。
【請求項８】
前記制御部（２４）は、前記所定の模様に対応する部分が、前記第１条件及び第２条件を満たしている場合に、前記印刷物（１）を原物と判別し、
前記第１条件を満たしている一方で前記第２条件を満たしていない場合には、前記印刷物（１）が前記複製物の可能性があると判別する、
請求項１乃至７のいずれか１項に記載の複製検知装置（２）。
【請求項９】
前記制御部（２４）は、前記印刷物（１）を前記複製物と判別した場合、該印刷物（１）の再度の撮像を指示する、
請求項１乃至８のいずれか１項に記載の複製検知装置（２）。
【請求項１０】
前記光源（１０５）と前記撮像部（２２）と前記制御部（２４）とを備える撮像端末（１００）と、
前記照明用偏光板（２２５）と前記撮像用偏光板（２２４）と筒状部（２２０）とを備え、該筒状部（２２０）の底面で前記所定の模様を覆って外光を遮断可能な表面反射光除去ユニット（２００）と、を具備し、
前記照明用偏光板（２２５）が前記光源（１０５）から前記印刷物（１）への光路上に位置し、前記撮像用偏光板（２２４）が該印刷物（１）の像光の光路上に位置するように、前記表面反射光除去ユニット（２００）を、前記撮像端末（１００）に取り付けることにより形成される、
請求項１乃至９のいずれか１項に記載の複製検知装置（２）。
【請求項１１】
所定の模様が印刷された印刷物（１）に照明光を照射する光源（１０５）と、前記光源（１０５）から前記印刷物（１）への光路上に配置され、該光源（１０５）からの照明光を直線偏光にする照明用偏光板（２２５）と、前記印刷物（１）の像光の光路上に配置され、前記照明用偏光板（２２５）とその偏光の向きが直交し、該印刷物（１）の像光から、該印刷物（１）の表面反射光を除去する撮像用偏光板（２２４）と、を備える複製検知装置（２２）による複製検知方法であって、
撮像部（２２）が、前記撮像用偏光板（２２４）で前記表面反射光が除去された前記印刷物（１）の像光を撮像して、該印刷物（１）の無反射像を生成し、
制御部（２４）が、前記無反射像から各画素の色度を表す色度チャンネルを抽出し、
前記制御部（２４）が、該色度チャンネルにおいて前記所定の模様に対応する部分が、第１条件を満たしていない場合、前記印刷物（１）を複製物と判別する、
複製検知方法。
【請求項１２】
所定の模様が印刷された印刷物（１）に照明光を照射する光源（１０５）と、前記光源（１０５）から前記印刷物（１）への光路上に配置され、該光源（１０５）からの照明光を直線偏光にする照明用偏光板（２２５）と、前記印刷物（１）の像光の光路上に配置され、前記照明用偏光板（２２５）とその偏光の向きが直交し、該印刷物（１）の像光から、該印刷物（１）の表面反射光を除去する撮像用偏光板（２２４）と、を備える複製検知装置（２２）のコンピュータに、
前記撮像用偏光板（２２４）で前記表面反射光が除去された前記印刷物（１）の像光を撮像して、該印刷物（１）の無反射像を生成し、
前記無反射像から各画素の色度を表す色度チャンネルを抽出し、
該色度チャンネルにおいて前記所定の模様に対応する部分が、第１条件を満たしていない場合、前記印刷物（１）を複製物と判別する、
ことを実行させるためのプログラム。
【発明の詳細な説明】
【技術分野】
【０００１】
本発明は、複製検知装置、複製検知方法、及びプログラムに関し、特に、複製検知の精度を向上させることができる複製検知装置、複製検知方法、及びプログラムに関する。
【背景技術】
【０００２】
二次元コードの一種であるＱＲ（Quick Response）コード（登録商標）は、印刷物に機械可読な情報を埋め込むもので、昨今では、航空券やチケットに代表されるように、金銭的価値を持ったＱＲコード（登録商標）の利用が拡大している（例えば特許文献１及び２参照）。このため、ＱＲコード（登録商標）に代表される二次元コードの偽造や複製を検知する方式の開発は、急務の課題となっている。【０００３】
上記の課題を解決するものとして、本願発明者は、所定の模様が印刷された印刷物を撮像して撮像画像を生成する撮像部と、撮像画像から各画素の色度を表す色度チャンネルを抽出し、色度チャンネルにおいて所定の模様に対応する部分が、第１条件を満たしていない場合、印刷物を複製物と判別する制御部と、を備える複製検知装置を発明した（ＰＣＴ／ＪＰ２０１７／０４６４８９）。【０００４】
なお、本明細書中に特許文献１及び２、並びにＰＣＴ／ＪＰ２０１７／０４６４８９の明細書、特許請求の範囲、図面全体を参考として取り込むものとする。
【先行技術文献】
【特許文献】
【０００５】
【特許文献１】特開２００６−３１８３２８号公報
【特許文献２】ＷＯ２０１０／１４０６３９号公報
【発明の概要】
【発明が解決しようとする課題】
【０００６】
しかしながら、ＰＣＴ／ＪＰ２０１７／０４６４８９に係る発明においても、外光によって生じる印刷物の表面反射光のため、撮影画像において所定の模様の一部が白色化してしまい、複製検知装置が、印刷物を原物であるにも関わらず、誤って複製物と判別してしまうおそれがあった。【０００７】
本発明は、上記の課題を解決するためになされたものであって、複製検知の精度を向上させることができる複製検知装置、複製検知方法、及びプログラムを提供することを目的とする。
【課題を解決するための手段】
【０００８】
上記の目的を達成するため、本発明の第１の観点に係る複製検知装置（２）は、所定の模様が印刷された印刷物（１）に照明光を照射する光源（１０５）と、前記光源（１０５）から前記印刷物（１）への光路上に配置され、該光源（１０５）からの照明光を直線偏光にする照明用偏光板（２２５）と、前記印刷物（１）の像光の光路上に配置され、前記照明用偏光板（２２５）とその偏光の向きが直交し、該印刷物（１）の像光から、該印刷物（１）の表面反射光を除去する撮像用偏光板（２２４）と、前記撮像用偏光板（２２４）で前記表面反射光が除去された前記印刷物（１）の像光を撮像して、該印刷物（１）の無反射像を生成する撮像部（２２）と、前記無反射像から各画素の色度を表す色度チャンネルを抽出し、該色度チャンネルにおいて前記所定の模様に対応する部分が、第１条件を満たしていない場合、前記印刷物（１）を複製物と判別する制御部（２４）と、を備える。【０００９】
上記の複製検知装置（２）において、前記所定の模様は、グラデーションであって、前記制御部（２４）は、前記色度チャンネルにおいて前記グラデーションに対応する部分が、所定の形状を有していない場合、前記第１条件を満たしていないとして、前記印刷物（１）を複製物と判別する、ようにしてもよい。【００１０】
上記の複製検知装置（２）において、前記所定の模様は、グラデーションであって、前記制御部（２４）は、前記色度チャンネルにおいて前記グラデーションに対応する部分が、所定の長さよりも短い場合、前記所定の形状を有していないとして、前記印刷物（１）を複製物と判別する、ようにしてもよい。【００１１】
上記の複製検知装置（２）において、前記グラデーションは、黄色のグラデーションである、ことが好ましい。【００１２】
上記の複製検知装置（２）において、前記撮像部（２２）は、ＲＧＢ色域で表される前記撮像画像を生成し、前記制御部（２４）は、前記ＲＧＢ色域で表される撮像画像を、Ｌａｂ表色系で表される前記撮像画像に変換し、前記Ｌａｂ表色系で表される撮像画像から各画素のｂ値を表すｂチャンネルを抽出し、前記ｂチャンネルにおいて前記黄色のグラデーションに対応する部分が、前記所定の形状を有していない場合、前記第１条件を満たしていないとして、前記印刷物（１）を複製物と判別する、ようにしてもよい。【００１３】
上記の複製検知装置（２）において、前記制御部（２４）は、前記ｂチャンネルの各画素のｂ値を二値化して二値化画像を生成し、前記二値化画像において前記黄色のグラデーションに対応する部分が、前記所定の形状を有していない場合、前記第１条件を満たしていないとして、前記印刷物（１）を複製物と判別する、ようにしてもよい。【００１４】
上記の複製検知装置（２）は、前記印刷物（１）の照度を検知する照度センサ（２５）をさらに備え、前記制御部（２４）は、前記照度センサ（２５）で検知した前記照度に応じて、前記ｂチャンネルの各画素のｂ値と比較する閾値を決定し、前記ｂチャンネルの各画素のｂ値を前記閾値と比較して二値化する、ようにしてもよい。【００１５】
上記の複製検知装置（２）において、前記制御部（２４）は、前記所定の模様に対応する部分が、前記第１条件及び第２条件を満たしている場合に、前記印刷物（１）を原物と判別し、前記第１条件を満たしている一方で前記第２条件を満たしていない場合には、前記印刷物（１）が前記複製物の可能性があると判別する、ようにしてもよい。【００１６】
上記の複製検知装置（２）において、前記制御部（２４）は、前記印刷物（１）を前記複製物と判別した場合、該印刷物（１）の再度の撮像を指示する、ようにしてもよい。【００１７】
上記の複製検知装置（２）は、前記光源（１０５）と前記撮像部（２２）と前記制御部（２４）とを備える撮像端末（１００）と、前記照明用偏光板（２２５）と前記撮像用偏光板（２２４）と筒状部（２２０）とを備え、該筒状部（２２０）の底面で前記所定の模様を覆って外光を遮断可能な表面反射光除去ユニット（２００）と、を具備し、前記照明用偏光板（２２５）が前記光源（１０５）から前記印刷物（１）への光路上に位置し、前記撮像用偏光板（２２４）が該印刷物（１）の像光の光路上に位置するように、前記表面反射光除去ユニット（２００）を、前記撮像端末（１００）に取り付けることにより形成される、ものであってもよい。
【００１８】
上記の目的を達成するため、本発明の第２の観点に係る複製検知方法は、所定の模様が印刷された印刷物（１）に照明光を照射する光源（１０５）と、前記光源（１０５）から前記印刷物（１）への光路上に配置され、該光源（１０５）からの照明光を直線偏光にする照明用偏光板（２２５）と、前記印刷物（１）の像光の光路上に配置され、前記照明用偏光板（２２５）とその偏光の向きが直交し、該印刷物（１）の像光から、該印刷物（１）の表面反射光を除去する撮像用偏光板（２２４）と、を備える複製検知装置（２２）による複製検知方法であって、撮像部（２２）が、前記撮像用偏光板（２２４）で前記表面反射光が除去された前記印刷物（１）の像光を撮像して、該印刷物（１）の無反射像を生成し、制御部（２４）が、前記無反射像から各画素の色度を表す色度チャンネルを抽出し、前記制御部（２４）が、該色度チャンネルにおいて前記所定の模様に対応する部分が、第１条件を満たしていない場合、前記印刷物（１）を複製物と判別する。【００１９】
上記の目的を達成するため、本発明の第３の観点に係るプログラムは、所定の模様が印刷された印刷物（１）に照明光を照射する光源（１０５）と、前記光源（１０５）から前記印刷物（１）への光路上に配置され、該光源（１０５）からの照明光を直線偏光にする照明用偏光板（２２５）と、前記印刷物（１）の像光の光路上に配置され、前記照明用偏光板（２２５）とその偏光の向きが直交し、該印刷物（１）の像光から、該印刷物（１）の表面反射光を除去する撮像用偏光板（２２４）と、を備える複製検知装置（２２）のコンピュータに、前記撮像用偏光板（２２４）で前記表面反射光が除去された前記印刷物（１）の像光を撮像して、該印刷物（１）の無反射像を生成し、前記無反射像から各画素の色度を表す色度チャンネルを抽出し、該色度チャンネルにおいて前記所定の模様に対応する部分が、第１条件を満たしていない場合、前記印刷物（１）を複製物と判別する、ことを実行させるためのものである。
【発明の効果】
【００２０】
本発明によれば、複製検知の精度を向上させることができる複製検知装置、複製検知方法、及びプログラムを提供することができる。
【図面の簡単な説明】
【００２１】
【図１】本実施形態に係る印刷物を例示する図である。
【図２】（ａ）は、印刷物の原物における黄色のグラデーションを示す図であり、（ｂ）は、印刷物の複製物における黄色のグラデーションを示す図である。
【図３】本実施形態に係る複製検知装置の全体構成を例示する上側面図である。
【図４】撮像端末の構成例を示す背面図である。
【図５】表面反射光除去ユニットの構成例を示す上側断面図である。
【図６】複製検知装置の使用状態を説明するための図である。
【図７】本実施形態に係る複製検知装置の構成例を示すブロック図である。
【図８】Ｌａｂ表色系の色空間を示す説明図である。
【図９】（ａ）は、印刷物の原物を撮像した場合の二値化画像を示す図であり、（ｂ）は、印刷物の複製物を撮像した場合の二値化画像を示す図である。
【図１０】複製検知処理の詳細を示すフローチャートである。
【図１１】（ａ）は、本実施形態に係る複製検知装置における照度毎の最適な閾値を示す表であり、（ｂ）は、変形例に係る複製検知装置における照度毎の最適な閾値を示す表である。
【図１２】変形例に係る複製検知装置の構成例を示すブロック図である。
【発明を実施するための形態】
【００２２】
以下、本発明を実施するための最良の形態について説明する。
【００２３】
まず、本実施形態に係る印刷物について図面を参照しつつ説明する。
【００２４】
図１は、本実施形態に係る印刷物を例示する図である。
【００２５】
図１に示すように、印刷物１は、白地の印刷用紙等の印刷媒体に、視認可能なロゴ画像にＱＲコード（登録商標）等の二次元コードを重ね合わせたロゴ付き二次元コード１１と、ロゴ付き二次元コード１１の外周を取り囲む略正方形の枠状の黄色のグラデーション１２と、を印刷して形成される。ここで、グラデーション１２が黄色いのは、様々な色の中で黄色が最も複製による影響を受けやすいからである。このため、印刷物１には、原物であるか複製物であるかを検知するために、黄色のグラデーション１２が印刷されている。
【００２６】
ロゴ付き二次元コード１１は、ロゴ画像のうち、汎用の二次元コードリーダによって黒色と認識される第１明度未満の部分（図１に示す例では背景部分や鍵穴部分等）には、汎用の二次元コードリーダによって白色と認識される第１種類の明度のセル（図１に示す例では白色のセル）のみが重ね合わされている。一方、ロゴ画像のうち、第１明度以上の部分（図１に示す例では鍵本体部分等）には、第１種類の明度のセル（図１に示す例では白色のセル）と、汎用の二次元コードリーダによって黒色と認識される第２種類の明度のセル（図１に示す例では黒色のセル）と、の双方が重ね合わされている。
【００２７】
ロゴ付き二次元コード１１は、汎用の二次元コードリーダによって白色と認識される第１種類の明度のセル（図１に示す例では白色のセル）と、汎用の二次元コードリーダによって黒色と認識される第２種類の明度のセル（図１に示す例では黒色のセル）及びロゴ画像のうちの第１明度未満の部分（図１に示す例では背景部分や鍵穴部分等）と、の分布パターンによって、ＵＲＬ（Uniform Resource Locator）等の所定の情報を表現する。
【００２８】
グラデーション１２は、白地の印刷用紙等の印刷媒体に、ＣＭＹＫ色域の四色のインクのうち、Ｙ（イエロー）のインクのみを利用して、一辺の長さが略２３ｍｍの略正方形の各頂点から各辺の中心にかけて徐々に黄色が薄くなるように印刷して、形成される。
【００２９】
図２（ａ）は、印刷物の原物における黄色のグラデーションを示す図である。図２（ｂ）は、印刷物の複製物における黄色のグラデーションを示す図である。
【００３０】
本発明者は、印刷物１の原物と複製物とにおける黄色のグラデーション１２の長さをそれぞれ求めた。ここで、グラデーション１２の長さとは、グラデーション１２の各辺のうち、目視でＹ（イエロー）のインクの付着が確認できる部分の長さをいう。原物における黄色のグラデーション１２の長さは、図２（ａ）に示すように、略２１．５ｍｍ〜略２３ｍｍであった。これに対して、複製物における黄色のグラデーション１２の長さは、図２（ｂ）に示すように、原物よりも短く、略１４ｍｍ〜略１９．５ｍｍであった。
【００３１】
このように、黄色のグラデーション１２は、複製によって減衰し、複製物における黄色のグラデーション１２の長さは、原物よりも短くなる。その理由は、印刷時に利用されるＣＭＹＫ色域と複製時に利用されるＲＧＢ色域とで、色域（カラースペース）や再現方法等がそれぞれで異なっているからである。具体的に、ＣＭＹＫ色域は、色を減らすと白色になる（足すと黒色になる）減法混色で色を表現し、ＲＧＢ色域は、色を足していくと白色になる（減らすと黒色になる）加法混色で色を表現する。
【００３２】
黄色のグラデーション１２は、スキャン時にＲＧＢ色域の混色に変換され、印刷時には、再度ＣＭＹＫ色域が利用される。このとき、グラデーション１２は、ＣＭＹＫ色域の混色で印刷され、濃度が低い（薄い）部分は、さらに淡くなる。その理由は、印刷で色を表現する仕組みにある。すなわち、印刷では、インクのドット（点）を紙等の印刷媒体の上に乗せるか乗せないか、つまりドットのオンオフの二値で色が表現され、ドットの形状（例えばドットの大小）やドット分散の仕方で色の濃淡が表現される。淡色は、当然、ドット形状がより小さくなる。このような小さなドットをスキャンした際に撮像素子が取得するには、十分な解像力が必要であるが、汎用の複写機の解像度は。４００ｐｐｉ程度しかない。このため、淡色は、どうしても欠損しやすくなり、結果、淡色は、さらに淡くなる傾向にある。特に、黄色のグラデーション１２は、スキャナやカメラ等を利用した複製によって、淡色がさらに淡く変化しやすい。
【００３３】
次に、このような黄色のグラデーション１２の性質を用いて、印刷物１が原物であるか複製物であるかを検知する本実施形態に係る複製検知装置について図面を参照しつつ説明する。
【００３４】
本実施形態に係る複製検知装置は、照明光として偏光を用いて印刷物１を撮像する場合、印刷物１の表面で反射した光（表面反射光）では偏光の状態がそのまま保たれ、印刷物１の中に若干入ってから反射した光（内部反射光）では偏光が崩れた状態となる、という偏光の性質を利用して、表面反射光が除去された印刷物１の無反射像を生成する。そして、複製検知装置は、上記の黄色のグラデーション１２の性質を用いて、印刷物１の無反射像から、印刷物１が原物であるか複製物であるかを検知する。
【００３５】
なお、無反射像を生成する技術の詳細については、特開平８−２５１４５７号公報、特開平１１−３３２８３０号公報、特開２００５−１２２２０３号公報、特開２００７−１７９０８１号公報、及び特開２０１４−０１８４３９号公報等に記載されている。なお、特開平８−２５１４５７号公報、特開平１１−３３２８３０号公報、特開２００５−１２２２０３号公報、特開２００７−１７９０８１号公報、及び特開２０１４−０１８４３９号公報の明細書、特許請求の範囲、図面全体を参考として取り込むものとする。
【００３６】
図３は、本実施形態に係る複製検知装置の全体構成を例示する上側面図である。
【００３７】
図３に示すように、複製検知装置２は、撮像端末１００と、表面反射光除去ユニット２００と、を組み合わせることにより構成される。
【００３８】
撮像端末１００は、例えば汎用のスマートフォン又はタブレットコンピュータ等から構成される。本実施形態では、アップルインコーポレイテッド社製のｉＰｈｏｎｅ（登録商標）６ｓから構成されている。なお、撮像端末１００は、Ａｎｄｒｏｉｄ（登録商標）のスマートフォン又はタブレットコンピュータ等であってもよい。さらに言えば、撮像端末１００は、撮像機能を有するものであれば任意であり、汎用のデジタルカメラや、汎用の二次元コードリーダ等であってもよい。
【００３９】
図４は、撮像端末の構成例を示す背面図である。
【００４０】
図４に示すように、撮像端末１００は、その筐体１０１の表面にレンズ１０４が露出している。レンズ１０４は、その奥にある撮像部２２（図７）とともに撮像端末１００のカメラを構成する。
【００４１】
撮像端末１００は、その筐体１０１の表面に光源１０５を備える。光源１０５は、例えばＬＥＤ（Light Emitting Diode）等から構成され、印刷物１に照明光を照射する。
【００４２】
図３に示す表面反射光除去ユニット２００は、撮像端末１００に着脱可能に構成され、撮像端末１００が印刷物１を撮像したときに生じる像光から、印刷物１の表面からの反射光（表面反射光）を除去する。
【００４３】
図５は、表面反射光除去ユニットの構成例を示す上側断面図である。
【００４４】
図５に示すように、表面反射光除去ユニット２００は、例えば一体に形成された黒色の樹脂製の本体部２１０と円筒部２２０とを備える。
【００４５】
本体部２１０は、表面反射光除去ユニット２００を、撮像端末１００に着脱可能に固定する。本体部２１０は、表面反射光除去ユニット２００を撮像端末１００に固定した場合における撮像端末１００のレンズ１０４及び光源１０５に対応する位置に、略円形の第１孔２１４及び第２孔２１５が、それぞれ設けられている。
【００４６】
第１孔２１４は、印刷部１の像光の通り道を作るべく、レンズ１０４を本体部２１０で覆わないようにするためのものであり、レンズ１０４と略同一の半径若しくはやや大径の円形により構成される。なお、第１孔２１４は、レンズ１０４を本体部２１０で覆わないようにするような形状であれば、円形に限定されるものではなく、略楕円形であってもよいし、略多角形等であっても構わない。また、第１孔２１４には、印刷部１の像光を透過させて直線偏光にする撮像用偏光板２２４が設けられいる。すなわち、撮像用偏光板２２４は、印刷物１の像光の光路上に配置される。
【００４７】
第２孔２１５は、光源１０５からの照明光の通り道を作るべく、光源１０５を本体部２１０で覆わないようにするためのものであり、光源１０５と略同一の半径若しくはやや大径の円形により構成される。なお、第２孔２１５は、光源１０５を本体部２１０で覆わないようにするような形状であれば、円形に限定されるものではなく、略楕円形であってもよいし、略多角形等であっても構わない。また、第２孔２１５には、光源１０５からの照明光を透過させて直線偏光にする照明用偏光板２２５が設けられいる。すなわち、照明用偏光板２２５は、光源１０５から印刷物１への光路上に配置される。また、撮像用偏光板２２４と照明用偏光板２２５とは、その偏光の向きが互いに直交する。
【００４８】
円筒部２２０は、例えば略円筒状に形成され、本体部２１０に取り付けられている。円筒部２２０は、複製検知装置２が印刷物１を撮像する際に、その底面で印刷物１上のロゴ付き二次元コード１１及び黄色のグラデーション１２を完全に覆い、表面反射光の一因となる外光を遮断する。
【００４９】
このように、複製検知装置２は、照明用偏光板２２５が光源１０５から印刷物１への光路上に位置し、前記撮像用偏光板２２４が該印刷物１の像光の光路上に位置するように、その底面でロゴ付き二次元コード１１及び黄色のグラデーション１２を覆って外光を遮断可能な円筒部２２０を有する表面反射光除去ユニット２００を、撮像端末１００に取り付けることにより形成される。
【００５０】
続いて、上記構成を備える複製検知装置２による印刷物１の無反射像の撮像動作について図面を参照して説明する。
【００５１】
図６は、複製検知装置の撮像動作を説明するための図である。
【００５２】
図６に示すように、光源１０５からの照明光は、照明用偏光板２２５で直線偏光となって、印刷物１に当たって、印刷物１の像光を反射する。印刷物１の像光のうち、直線偏光が保たれた表面反射光は、撮像用偏光板２２で除去される。これに対して、印刷物１の像光のうち、偏光が崩れた内部反射光は、少なくともその一部が撮像用偏光板２２を通過する。そして、撮像用偏光板２２を通過した像光は、レンズ１０４で結像され、撮像部２２で撮像される。これにより、複製検知装置２は、印刷物１の撮像画像として、表面反射光のない無反射像を生成する。
【００５３】
図７は、本実施形態に係る複製検知装置の構成例を示すブロック図である。
【００５４】
図７に示すように、複製検知装置２は、光源１０５と、タッチパネル２１と、撮像部２２と、記憶部２３と、制御部２４と、を備え、これらはバス等を介して接続されている。
【００５５】
タッチパネル２１は、例えば液晶表示装置とポインティングデバイスとを組み合わせた汎用のタッチパネル等から構成されている。タッチパネル２１は、各種画面を表示するとともに、ユーザによる各種操作を受け付ける。本実施形態において、タッチパネル２１には、ロゴ付き二次元コード１１の読取を指示するための読取アイコン等が表示される。
【００５６】
撮像部２２は、例えばＣＣＤ（Charge Coupled Device）等の固体撮像素子等から構成される。撮像部２２は、印刷物１を撮像して、ＲＧＢ色域で表される印刷物１の無反射像を生成する。
【００５７】
記憶部２３は、例えば汎用のフラッシュメモリ等の不揮発性メモリ等から構成される。記憶部２３は、印刷物１が原物であるか複製物であるかを検知するための複製検知アプリケーションプログラム等が記憶されている。
【００５８】
制御部２４は、例えばＣＰＵ（Central Processing Unit）、ＲＯＭ（Read Only Memory）、及びＲＡＭ（Random Access Memory）等から構成されている。ＣＰＵは、ＲＡＭをワークメモリとして用い、ＲＯＭ及び記憶部２３等に記憶されているプログラムを適宜実行することによって、複製検知装置２の各種動作を制御する。
【００５９】
本実施形態において、制御部２４は、ユーザがタッチパネル２１を操作して、記憶部２３に記憶されている複製検知アプリケーションプログラムを起動したことに応答して、光源１０５を点灯させるとともに、読取アイコンをタッチパネル２１に表示する。また、制御部２４は、光源１０５の明るさ、及び複製検知装置２内部の増幅器の利得を一定の値に固定する。そして、制御部２４は、ユーザが円筒部２２０の底部で印刷物１上のロゴ付き二次元コード１１及び黄色のグラデーション１２を完全に覆って外光を遮断してから、読取アイコンをタップしたことに応答して、印刷物１を撮像部２２で撮像して、ＲＧＢ色域で表される印刷物１の無反射像を生成する。なお、制御部２４は、無反射像の傾きが所定角度（例えば２°）以上である場合や、無反射像のサイズが所定サイズ（例えば幅が３００ピクセル）未満である場合、印刷物１の撮像を再度行うようにしてもよい。
【００６０】
制御部２４は、撮像部２２で生成したＲＧＢ色域で表される印刷物１の無反射像を、ＣＩＥ  Ｌ＊ａ＊ｂ＊（以下、「Ｌａｂ」という。）表色系で表される無反射像に変換する。
【００６１】
図８は、Ｌａｂ表色系の色空間を示す説明図である。
【００６２】
図８に示すように、Ｌａｂ表色系の色空間は、明度を示すＬ値、並びに色度（色相及び彩度）を示すａ値及びｂ値といった三つの値で色を表現する補色空間である。Ｌ値は、“０”〜“１００”の範囲の値をとり、大きくなる程、明度が高くなる。Ｌ値が“０”の場合には、黒色となり、“１００”の場合には、白色となる。ａ値は、赤色と緑色との間の色度を示す値であり、本実施形態では、“−２５５”〜“２５５”の範囲の値をとる。ａ値が正の値の場合には、赤色となり、正の値が大きくなる程、赤色の濃度の高くなる。これに対して、ａ値が負の値の場合には、緑色となり、負の値が小さくなる程、緑色の濃度が高くなる。ｂ値は、黄色と青色との間の色度を示す値であり、本実施形態では、“−２５５”〜“２５５”の範囲の値をとる。ｂ値が正の値の場合には、黄色となり、正の値が大きくなる程、黄色の濃度が高くなる。これに対して、ｂ値が負の値の場合には、青色となり、負の値が小さくなる程、青色の濃度が高くなる。そして、ａ値及びｂ値がともに“０”の場合には、無彩色となる。
【００６３】
図７に示す制御部２４は、Ｌａｂ表色系の色空間で表される無反射像から、無反射像の各画素のｂ値を表すｂチャンネルを抽出する。そして、制御部２４は、ｂチャンネルの各画素のｂ値を所定の閾値（本実施形態では“１２３”）と比較して、閾値未満のｂ値を“０”、閾値以上のｂ値を“１”となるように二値化して二値化画像を生成する。
【００６４】
図９（ａ）は、印刷物の原物を撮像した場合の二値化画像を示す図である。図９（ｂ）は、印刷物の複製物を撮像した場合の二値化画像を示す図である。
【００６５】
図９（ａ）及び（ｂ）に示す二値化画像において、“０”とされた画素は黒色で、“１”とされた画素は白色で示されている。印刷物の原物を撮像した場合の二値化画像では、図９（ａ）に示すように、黄色のグラデーション１２に対応する部分がほぼ繋がっているのに対し、印刷物の複製物を撮像した場合の二値化画像では、図９（ｂ）に示すように、グラデーション１２の四隅の部分しか残っていない。
【００６６】
図７に示す制御部２４は、二値化画像の黄色のグラデーション１２に対応する部分において所定長以上の線分を検出する。制御部２４は、黄色のグラデーション１２に対応する部分において所定長以上の線分を検出できなかった場合、印刷物１が複製物であると判別して、その判別結果とともに、読取アイコンをタッチパネル２１を表示する。
【００６７】
制御部２４は、黄色のグラデーション１２に対応する部分において所定長以上の線分を検出できた場合でも、黄色のグラデーション１２に対応する部分の四つの辺のいずれかにおいて所定長以上の線分を検出できなかったときには、印刷物１が複製物の可能性があると判別して、その判別結果とともに、読取アイコンをタッチパネル２１を表示する。
【００６８】
制御部２４は、黄色のグラデーション１２に対応する部分の四つの辺のいずれにおいても所定長以上の線分を検出できたときには、印刷物１が原物であると判別して、その判別結果をタッチパネル２１に表示する。そして、制御部２４は、無反射像に含まれるロゴ付き二次元コード１１から所定の情報を読み取る。
【００６９】
次に、上記構成を備える複製検知装置が実行する複製検知処理について図面を参照して説明する。
【００７０】
複製検知装置２の制御部２４は、ユーザがタッチパネル２１を操作して、記憶部２３に記憶されている複製検知アプリケーションプログラムを起動したことに応答して、光源１０５を点灯させるとともに、読取アイコンをタッチパネル２１に表示する。そして、制御部２４は、ユーザが円筒部２２０の底部で印刷物１上のロゴ付き二次元コード１１及び黄色のグラデーション１２を完全に覆って外光を遮断してから、読取アイコンをタップしたことに応答して、複製検知処理を開始する。
【００７１】
図１０は、複製検知処理の詳細を示すフローチャートである。
【００７２】
図１０に示すように、複製検知処理において、まず、制御部２４は、ロゴ付き二次元コード１１を含む印刷物１を撮像部２２で撮像して、ＲＧＢ色域で表される印刷物１の無反射像を生成する（ステップＳ１）。
【００７３】
次に、制御部２４は、ステップＳ１で生成したＲＧＢ色域で表される印刷物１の無反射像を、Ｌａｂ表色系で表される無反射像に変換する（ステップＳ２）。
【００７４】
続いて、制御部２４は、ステップＳ２で変換したＬａｂ表色系で表される無反射像から、無反射像の各画素のｂ値を表すｂチャンネルを抽出する（ステップＳ３）。
【００７５】
そして、制御部２４は、ステップＳ３で抽出したｂチャンネルの各画素のｂ値を所定の閾値と比較して、閾値未満のｂ値を“０”、閾値以上のｂ値を“１”となるように二値化して二値化画像を生成する（ステップＳ４）。
【００７６】
続いて、制御部２４は、ステップＳ４で生成した二値化画像の黄色のグラデーション１２に対応する部分において所定長以上の線分を検出する（ステップＳ５）。
【００７７】
制御部２４は、黄色のグラデーション１２に対応する部分において所定長以上の線分を検出できなかった場合（ステップＳ６；Ｎｏ）、印刷物１が複製物であると判別して、その判別結果とともに、読取アイコンをタッチパネル２１に表示してから（ステップＳ７）、複製検知処理を終了する。
【００７８】
これに対して、制御部２４は、黄色のグラデーション１２に対応する部分において所定長以上の線分を検出できた場合でも（ステップＳ６；Ｙｅｓ）、黄色のグラデーション１２に対応する部分の四つの辺のいずれかにおいて所定長以上の線分を検出できなかったときには（ステップＳ８；Ｎｏ）、印刷物１が複製物の可能性があると判別して、その判別結果とともに、読取アイコンをタッチパネル２１に表示してから（ステップＳ９）、複製検知処理を終了する。
【００７９】
一方、制御部２４は、黄色のグラデーション１２に対応する部分の四つの辺のいずれにおいても所定長以上の線分を検出できたときには（ステップＳ８；Ｙｅｓ）、印刷物１が原物であると判別して、その判別結果をタッチパネル２１に表示する（ステップＳ１０）。
【００８０】
そして、制御部２４は、無反射像に含まれるロゴ付き二次元コード１１から所定の情報を読み取ってから（ステップＳ１１）、複製検知処理を終了する。
【００８１】
以上説明したように、本実施形態に係る複製検知装置２は、撮像端末１００と表面反射光除去ユニット２００とを具備する。撮像端末１００は、所定の模様（黄色のグラデーション１２）が印刷された印刷物１に照明光を照射する光源１０５と、撮像部２２と、制御部２４と、を備える。表面反射光除去ユニット２００は、その底面で、印刷物１に印刷された所定の模様を覆って外光を遮断可能な円筒部２２０と、照明用偏光板２２５と、照明用偏光板２２５とその偏光の向きが直交する撮像用偏光板２２４と、を備える。複製検知装置２は、照明用偏光板２２５が光源１０５から印刷物１への光路上に位置し、撮像用偏光板２２４が印刷物１の像光の光路上に位置するように、表面反射光除去ユニット２００を撮像端末１００に取り付けることにより形成される。
【００８２】
照明用偏光板２２５は、光源１０５からの照明光を直線偏光にする。撮像用偏光板２２４は、印刷物１の像光から、印刷物１の表面反射光を除去する。撮像部２２は、撮像用偏光板２２４で表面反射光が除去された印刷物１の像光を撮像して、印刷物１の無反射像を生成する。制御部２４は、無反射像から各画素の色度を表す色度チャンネルを抽出し、色度チャンネルにおいて前記所定の模様に対応する部分が、第１条件を満たしていない場合、印刷物１を複製物と判別する。
【００８３】
本実施形態において、印刷物１には、所定の模様として黄色のグラデーションが印刷されている。また、撮像部２２は、ＲＧＢ色域で表される無反射像を生成する。制御部２４は、ＲＧＢ色域で表される無反射像をＬａｂ表色系で表される無反射像に変換する。次に、制御部２４は、Ｌａｂ表色系で表される無反射像から色度チャンネルとして各画素のｂ値を表すｂチャンネルを抽出する。続いて、制御部２４は、ｂチャンネルの各画素のｂ値を二値化して二値化画像を生成する。
【００８４】
そして、制御部２４は、二値化画像において黄色のグラデーションに対応する部分が、所定の形状を有していない場合、すなわち、黄色のグラデーションに対応する部分に所定長以上の線分がない場合、第１条件を満たしていないとして、印刷物１を複製物と判別する。
【００８５】
他方、制御部２４は、黄色のグラデーションに対応する部分の四つの辺のいずれにおいても所定長以上の線分がある場合には、第１条件及び第２条件を満たしているとして、印刷物１を原物と判別する。これに対して、制御部２４は、黄色のグラデーションに対応する部分に所定長以上の線分はあるが、四つの辺のいずれかにおいて所定長以上の線分がない場合には、第１条件を満たしている一方で第２条件を満たしていないとして、印刷物１が複製物の可能性があると判別する。
【００８６】
そして、制御部２４は、印刷物１を複製物と判別した場合等には、読取アイコンをタッチパネル２１に表示して、印刷物１の再度の撮像を指示する。
【００８７】
このように、制御部２４は、誤判定の原因となる表面反射光が除去された、ＲＧＢ色域で表される印刷物１の無反射像を生成する。続いて、制御部２４は、ＲＧＢ色域で表される無反射像を、明度を示すＬ値並びに色度を示す二つの値（ａ値及びｂ値）を有し、且つデバイス依存しないカラーモデルであるＬａｂ表色系で表される無反射像に変換する。そして、制御部２４は、Ｌａｂ表色系で表される無反射像から、複製による影響を受けやすいｂチャンネルのみを抽出して、複製検知装置２を構成するスマートフォン又はタブレットコンピュータの機種等による影響を受けやすいＬ値を表すＬチャンネル、及び複製による影響を受けにくいａ値を表すａチャンネルを取り除いてから、無反射像を二値化する。これにより、制御部２４は、複製検知装置２を構成するスマートフォン又はタブレットコンピュータの機種等による影響を受けにくく、複製の検出に必要な黄色成分が際だった二値化画像を生成することができる。このようにして生成した二値化画像では、印刷物１が原物か複製物かによって、黄色のグラデーション１２に対応する部分の減衰量が明確になるため、制御部２４は、印刷物１が原物であるか複製物であるかを、簡易且つ確実に判別することができる。また、制御部２４は、誤判定の原因となる表面反射光が除去された無反射像を用いて印刷物１が原物か複製物かを判別することで、複製検知の精度を向上させることができる。
【００８８】
なお、本発明は、上記の実施形態に限定されず、種々の変形、応用が可能である。以下、本発明に適用可能な上記の実施形態の変形態様について、説明する。
【００８９】
上記の実施形態において、表面反射光除去ユニット２００は、円筒部２２０を備えるものとして説明した。しかしながら、本発明はこれに限定されるものではなく、表面反射光除去ユニット２００は、円筒部２２０を備えなくてもよい。この場合、上記実施の形態において、無反射像の各画素のｂ値と比較される所定の閾値は、“１２３”であるものとして説明したが、複製検知装置２を構成するスマートフォン又はタブレットコンピュータの機種、並びに印刷物１の照度等に応じて、異ならせてもよい。
【００９０】
本発明者は、上記の実施形態に係るアップルインコーポレイテッド社製のｉＰｈｏｎｅ（登録商標）６ｓから構成される複製検知装置２と、変形例に係るファーウェイ社製のＰ９  ｌｉｔｅから構成される複製検知装置２０（図１２）と、のそれぞれにおける照度毎の最適な閾値を求めた。具体的に、本発明者は、一般的な生活空間での照度（３００ｌｘ〜１０００ｌｘ）毎に、種々の閾値で、印刷物１の原物及び複製物をそれぞれを撮像して図１０に示す複製検知処理を実行した。そして、複製検知処理において、一回も印刷物１が複製物であると判別されることなく、且つ二回連続で複製の可能性があると判別されることもなく、５０回連続で正しく判別された閾値を、最適な閾値として求めた。
【００９１】
図１１（ａ）は、本実施形態に係る複製検知装置における照度毎の最適な閾値を示す表である。図１１（ｂ）は、変形例に係る複製検知装置における照度毎の最適な閾値を示す表である。
【００９２】
図１１（ａ）及び（ｂ）において、「○」は、各照度での最適な閾値を示す。図１１（ａ）に示すように、本実施形態に係る複製検知装置２では、いずれの照度においても、最適な閾値に“１２３”が含まれていた。そこで、本実施形態では、無反射像の各画素のｂ値と比較される所定の閾値として、“１２３”を設定した。これに対して、図１１（ｂ）に示すように、変形例に係る複製検知装置２０（図１２）では、印刷物１の照度に応じて、最適な閾値が異なる。
【００９３】
図１２は、変形例に係る複製検知装置の構成例を示すブロック図である。
【００９４】
図１２に示すように、複製検知装置２０は、複製検知装置２が備える光源１０５、タッチパネル２１、撮像部２２、記憶部２３、及び制御部２４に加え、印刷物１の照度を検知する照度センサ２５をさらに備え、これらはバス等を介して接続されている。
【００９５】
複製検知装置２０の制御部２４は、照度センサ２５で検知した照度に応じて、無反射像の各画素のｂ値と比較される所定の閾値を設定すればよい。図１１（ｂ）に示す例では、制御部２４は、照度センサ２５で検知した照度が３００ｌｘ〜４９９ｌｘである場合、無反射像の各画素のｂ値と比較される所定の閾値を“１３９”に設定し、照度が５００ｌｘ〜６９９ｌｘである場合、所定の閾値を“１３５”に設定し、照度が７００ｌｘ〜８９９ｌｘである場合、所定の閾値を“１３２”に設定し、照度が９００ｌｘ〜１０００ｌｘである場合、所定の閾値を“１２８”に設定すればよい。
【００９６】
なお、表面反射光除去ユニット２００は、円筒部２２０を備える場合においても、無反射像の各画素のｂ値と比較される所定の閾値を、複製検知装置２を構成するスマートフォン又はタブレットコンピュータの機種等に応じて異ならせてもよい。
【００９７】
上記実施の形態において、複製検知装置２の制御部２４は、黄色のグラデーション１２に対応する部分の四つの辺のいずれにおいても所定長以上の線分を検出できたことを条件に、印刷物１が原物であると判別するものとして説明した。しかしながら、本発明は、これに限定されるものではなく、印刷物１が原物であると判別するための条件は、複製検知装置２を構成するスマートフォン又はタブレットコンピュータの機種、及び撮像時の照度等に応じて、適宜変更可能である。
【００９８】
例えば、複製検知装置２の制御部２４は、黄色のグラデーション１２に対応する部分の四つの辺のいずれにおいても所定長以上の線分を検出できたことに加え、所定長以上の線分が所定本数（例えば５本等）以上検出できたことを条件に、印刷物１が原物であると判別してもよい。さらに、これらの条件に加えて、複製検知装置２の制御部２４は、ロゴ付き二次元コード１１の外周の白色の画素数を求めてノイズ判定を行い、ノイズが１０％以上である場合には印刷物１が複製物であると判別し、ノイズが０．８％以上、１０％未満である場合には印刷物１が複製物の可能性があると判別し、ノイズが０．８％未満である場合には印刷物１が原物であると判別するようにしてもよい。
【００９９】
また、複製検知装置２の制御部２４は、黄色のグラデーション１２に対応する部分の四つの辺のうち、少なくとも所定数の辺（例えば二辺等）において所定長以上の線分を検出できたことを条件に、印刷物１が原物であると判別してもよい。さらに、複製検知装置２の制御部２４は、黄色のグラデーション１２に対応する部分の四つの辺のうち、少なくとも所定数の辺（例えば二辺等）において所定長以上の線分を検出できたことに加え、所定長以上の線分が所定本数（例えば５本等）以上検出できたことを条件に、印刷物１が原物であると判別してもよい。
【０１００】
上記の実施形態において、グラデーション１２は、略正方形の枠状であるものとして説明した。しかしながら、本発明は、これに限定されるものではなく、グラデーション１２の形状は、任意であり、例えば線状であってもよい。この場合、複製検知装置２の制御部２４は、二値化画像において黄色のグラデーション１２に対応する部分の長さを求め、黄色のグラデーション１２に対応する部分の長さが、所定の長さよりも短い場合、所定の形状を有していないとして、印刷物１を複製物と判別してもよい。
【０１０１】
上記の実施形態において、制御部２４は、ＲＧＢ色域で表される無反射像を、Ｌａｂ表色系で表される無反射像に変換するものとして説明した。しかしながら、本発明は、これに限定されるものではなく、明度と色度とに切分可能な表色系であれば任意である。例えば、制御部２４は、ＲＧＢ色域で表される無反射像を、ＹＵＶ表色系、ＹＣｂＣｒ表色系、及びＹＰｂＰｒ表色系等で表される無反射像に変換するものであってもよい。
【０１０２】
また、制御部２４は、ＲＧＢ色域で表される無反射像を、ＣＭＹＫ色域で表される無反射像に変換してもよい。制御部２４は、ＣＭＹＫ色域で表される無反射像から、無反射像の各画素のＹ（イエロー）値を表すＹチャンネルを抽出し、Ｙチャンネルの各画素のＹ値を所定の閾値と比較して、閾値未満のＹ値を“０”、閾値以上のＹ値を“１”となるように二値化して二値化画像を生成する。そして、制御部２４は、二値化画像の黄色のグラデーション１２に対応する部分において所定長以上の線分を検出して、印刷物１が原物であるか複製物であるかを判別するようにしてもよい。
【０１０３】
もっとも、撮像画像が無反射像でない場合において、Ｌａｂ表色系で表される撮像画像ではなく、ＣＭＹＫ色域で表される撮像画像に変換したときには、撮像時の光源の質（白色光に近いか、及び明度が高いか等）、印刷物１の紙質（コート紙であるかマット紙であるか、及び紙厚等）、並びに撮像時の印刷物１と複製検知装置２との距離及び角度等によって、撮像時に微妙な光の明暗等が印刷物１に発生する。このため、印刷物１が安定した平滑度を有する紙で構成され、且つ光源状態、並びに撮像時の印刷物１と複製検知装置２との距離及び角度等が安定しているという環境下でなければ、二値化の際、撮像時に発生する微妙な光の明暗等の影響で、黄色のグラデーション１２に対応する部分だけを検知することは困難である。したがって、余計な明度に関する情報を切り捨て、且つ黄色成分からなる黄色のグラデーション１２に対応する部分だけを抜き取るべく、ＣＭＹＫ色域で表される撮像画像に変換するよりも、Ｌａｂ表色系で表される撮像画像に変換する方が好ましい。一方、本発明では、撮像画像が無反射像であるため、Ｌａｂ表色系で表される撮像画像に変換したときのみならず、ＣＭＹＫ色域で表される撮像画像に変換したときでも、黄色のグラデーション１２に対応する部分だけを適格に検知することができる。
【０１０４】
さらに、制御部２４は、ＲＧＢ色域で表される無反射像を変換しなくてもよく、無反射像を表す表色系は、任意である。
【０１０５】
上記の実施形態において、グラデーションは、黄色であるものとして説明したが、本発明は、これに限定されるものではない。グラデーションは、黄色以外の色であってもよい。黄色以外の色のグラデーションであっても、黄色のグラデーション程ではないが、複製によって淡色が減衰して白色（紙色）へと変色し、グラデーションの長さが原物よりも短くなる。そして、グラデーションが赤色や緑色である場合、制御部２４は、Ｌａｂ表色系で表される無反射像から、無反射像の各画素のａ値を表すａチャンネルを抽出して、印刷物１が原物であるか複製物であるかを判別すればよい。
【０１０６】
上記の実施形態において、印刷物１に印刷される模様は、グラデーションであるものとして説明したが、本発明は、これに限定されるものではない。印刷物１に印刷される模様は、複製によって形状が変化するものであれば、任意であり、例えば、ＣＭＹＫ色域のうちのＫ（黒色）のインクのみを利用して２０％〜３０％の濃度で印刷物１に印刷された灰色（黒色の一次元）の模様であってもよい。
【０１０７】
このような灰色（黒色の一次元）の模様は、スキャン時にＲＧＢ色域の混色（赤色、緑色、及び青色の三次元）に変換され、印刷時には、再度ＣＭＹＫ色域が利用される。このとき、模様は、混色（シアン、マゼンタ、イエロー、黒色の四次元）で印刷され、濁って青味がかった灰色に変色する。混色で印刷されるのは、ＲＧＢ色域では、純度１００％の黒色を表現できるが、ＣＭＹＫ色域のうちのＣＭＹのインクのみでは、純度１００％の黒色を物理的に作成できず、Ｋ（黒色）のインクを利用せざるを得ないからである。
【０１０８】
そこで、制御部２４は、Ｌａｂ表色系で表される無反射像から、ａチャンネル及び／又はｂチャンネルを抽出し、模様に対応する部分のａ値及び／又はｂ値に基づいて、模様に黒色以外の色が所定の基準値以上に混じっているか否かを判別する。そして、制御部２４は、模様に黒色以外の色が所定の基準値以上に混じっていると判別した場合、第１条件を満たしていないとして、印刷物１を複製物であると判別すればよい。
【０１０９】
上記の実施形態において、印刷物１には、ロゴ付き二次元コード１１が含まれるものとして説明した。しかしながら、本発明は、これに限定されるものではない。印刷物１には、バーコードや文書等、ロゴ付き二次元コード１１以外のものが含まれてもよいし、グラデーション１２以外何も含まれないものであってもよい。
【０１１０】
上記の実施形態において、印刷物１には、視認可能なロゴ画像に二次元コードを重ね合わせたロゴ付き二次元コード１１を例示に説明した。しかしながら、本発明はこれに限定されるものではなく、白色のセルと黒色のセルとの分布パターンによって所定の情報を表現する汎用の二次元コードであってもよい。
【０１１１】
上記の実施形態において、ロゴ付き二次元コード１１は、ロゴ画像のうちの第１明度未満の部分には、第１種類の明度のセルのみが重ね合わされる一方で、ロゴ画像のうちの第１明度以上の部分には、第１種類の明度のセルと第２種類の明度のセルとの双方が重ね合わされているものとして説明した。しかしながら、本発明は、これに限定されるものでｈない。
【０１１２】
例えば、ロゴ付き二次元コード１１は、ロゴ画像のうち、第１明度未満の部分には、第１種類の明度のセルのみが重ね合わされ、第１明度以上の部分で第２明度未満の部分には、第１種類の明度のセルと第２種類の明度のセルとの双方が重ね合わされ、汎用の二次元コードリーダによって白色と認識される第２明度以上の部分には、第２種類の明度のセルのみが重ね合わされたものであってもよい。この場合、ロゴ付き二次元コード１１は、汎用の二次元コードリーダによって白色と認識される第１種類の明度のセル及びロゴ画像うちの第２明度以上の部分と、汎用の二次元コードリーダによって黒色と認識される第２種類の明度のセル及びロゴ画像のうちの第１明度未満の部分と、の分布パターンによって、所定の情報を表現する（例えばＷＯ２０１１／１１８５４０号公報参照）。
【０１１３】
また、ロゴ付き二次元コード１１は、汎用の二次元コードリーダによって黒色と認識される所定明度未満のロゴ画像に、汎用の二次元コードリーダによって白色と認識される所定明度以上のセルが重ね合わされたものであってもよい。この場合、ロゴ付き二次元コード１１は、汎用の二次元コードリーダによって白色と認識される所定明度以上のセルと、汎用の二次元コードリーダによって黒色と認識される所定明度未満のロゴ画像と、の分布パターンによって、所定の情報を表現する（例えば特開２００７−２８７００４号公報参照）。
【０１１４】
さらに、ロゴ付き二次元コード１１は、ロゴ画像のうち、汎用の二次元コードリーダによって黒色と認識される所定明度未満の部分には、汎用の二次元コードリーダによって白色と認識される所定明度以上のセルが重ね合わされ、汎用の二次元コードリーダによって白色と認識される所定明度以上の部分には、汎用の二次元コードリーダによって黒色と認識される所定明度未満のセルが重ね合わされたものであってもよい（例えば特開２００８−１５６４２号公報参照）。
【０１１５】
なお、本明細書中に特開２００７−２８７００４号公報、特開２００８−１５６４２号公報、及びＷＯ２０１１／１１８５４０号公報の明細書、特許請求の範囲、図面全体を参考として取り込むものとする。
【０１１６】
上記の実施形態において、二次元コードは、ＱＲコード（登録商標）であるものとして説明した。しかしながら、本発明は、これに限定されるものではない。二次元コードは、例えば、データマトリクス、アズテックコード、コードワン、アレイタグ、ボックス図形コード、マキシコード、ペリコード、ソフトストリップ、ＣＰコード、カルラコード、及びウルトラコード等といった他のマトリクス式の二次元コードであってもよい。あるいは、ＰＤＦ４１７、コード４９、コード１６ｋ、コーダブロック等といった一次元バーコードを縦に積み重ねたスタック式の二次元コードであっても構わない。
【０１１７】
また、上記の実施形態において、制御部２４のＣＰＵが実行するプログラムは、予めＲＯＭ，記憶部２３等に記憶されるものとして説明したが、本発明はこれに限定されるものではなく、上述の処理を実行させるためのプログラムを、既存の汎用コンピュータに適用することで、上記の実施形態に係る複製検知装置２として機能させてもよい。
【０１１８】
このようなプログラムの提供方法は任意であり、例えばコンピュータが読取可能な記録媒体（フレキシブルディスク、ＣＤ（Compact Disc）−ＲＯＭ、ＤＶＤ（Digital Versatile Disc）−ＲＯＭ等）に格納して配布してもよいし、インターネット等のネットワーク上のストレージにプログラムを格納しておき、これをダウンロードさせることにより提供してもよい。
【０１１９】
さらに、上記の処理をＯＳ（Operating System）とアプリケーションプログラムとの分担、又はＯＳとアプリケーションプログラムとの協働によって実行する場合には、アプリケーションプログラムのみを記録媒体やストレージに格納してもよい。また、搬送波にプログラムを重畳し、ネットワークを介して配信することも可能である。例えば、ネットワーク上の掲示板（ＢＢＳ：Bulletin Board System）に上記プログラムを掲示し、ネットワークを介してプログラムを配信してもよい。そして、このプログラムを起動し、ＯＳの制御下で、他のアプリケーションプログラムと同様に実行することにより、上記の処理を実行できるように構成してもよい。
【０１２０】
なお、本発明は、本発明の広義の精神と範囲を逸脱することなく、様々な実施の形態及び変形が可能とされるものである。また、上述した実施の形態は、本発明の一実施例を説明するためのものであり、本発明の範囲を限定するものではない。
【符号の説明】
【０１２１】
１  印刷物
２  複製検知装置
１１  ロゴ付き二次元コード
１２  グラデーション
２０  複製検知装置
２１  タッチパネル
２２  撮像部
２３  記憶部
２４  制御部
２５  照度センサ
１００  撮像端末
１０４  レンズ
１０５  照明
２００  表面反射光除去ユニット
２１４  第１孔
２１５  第２孔
２２０  円筒部
２２４  撮像用偏光板
２２５  照明用偏光板
【要約】複製検知の精度を向上させる。複製検知装置（２）は、黄色のグラデーションが印刷された印刷物（１）の像光から、印刷物（１）の表面反射光を除去して撮像し、ＲＧＢ色域で表される撮像画像を生成する。複製検知装置（２）は、ＲＧＢ色域で表される撮像画像をＬａｂ表色系で表される撮像画像に変換して、撮像画像から各画素のｂ値を表すｂチャンネルを抽出する。複製検知装置（２）は、ｂチャンネルの各画素のｂ値を二値化して二値化画像を生成する。そして、複製検知装置（２）は、二値化画像において黄色のグラデーションに対応する部分が、所定の形状を有していない場合、印刷物（１）を複製物と判別する。【図１】
0006627057.tif 000002
【図２】
0006627057.tif 000003
【図３】
0006627057.tif 000004
【図４】
0006627057.tif 000005
【図５】
0006627057.tif 000006
【図６】
0006627057.tif 000007
【図７】
0006627057.tif 000008
【図８】
0006627057.tif 000009
【図９】
0006627057.tif 000010
【図１０】
0006627057.tif 000011
【図１１】
0006627057.tif 000012
【図１２】
0006627057.tif 000013